(57)【要約】      （修正有）【課題】  背面表示においてもバックライト方式を採用することにより、光源が背面表示の認識を妨げることがない電気光学装置およびそれを用いた電子機器を提供する。【解決手段】  第１基板５５および第２基板４３が対向してなる電気光学パネルを有する第１部材１２と、当該第１部材１２に対向して配置される第２部材１４と、を備えてなる電気光学装置であって、電気光学パネルは、第１基板５５側に表示する第１表示部１６と、第２基板４３側に表示する第２表示部１８とを有し、第１部材１２は第１光源６４を有し、第２部材１４は第２光源４０を有し、第１表示部１６は第１光源６４から照明されることにより透過表示を行い、第２表示部１８は第２光源４０から照明されることにより透過表示を行う。【選択図】  図３
2005084322.tif 000002
【特許請求の範囲】
【請求項１】
第１基板および第２基板が対向してなる電気光学パネルを有する第１部材と、当該第１部材に対向して配置される第２部材と、を備えた電気光学装置であって、
前記電気光学パネルは、前記第１基板側に画像表示するための第１表示部と、第２基板側に画像表示するための第２表示部と、を有し、
前記第１部材は第１光源を有し、
前記第２部材は第２光源を有し、
前記第１表示部は前記第１光源から照明されることにより透過表示を行い、前記第２表示部は前記第２光源から照明されることにより透過表示を行うことを特徴とする電気光学装置。
【請求項２】
前記第２表示部は、前記第１基板と前記第２光源との間に、半透過反射層を備えることを特徴とする請求項１に記載の電気光学装置。
【請求項３】
前記第２表示部は、前記第１基板と前記第２光源との間に、反射偏光子を備えることを特徴とする請求項１に記載の電気光学装置。
【請求項４】
前記第２部材は操作パネルを有し、当該操作パネルの一部に、前記第２の光源を設けることを特徴とする請求項１〜３のいずれか一項に記載の電気光学装置。
【請求項５】
前記第２光源は、バックライトを備えるとともに操作パネルとして用いられる電気光学パネルであることを特徴とする請求項１〜４のいずれか一項に記載の電気光学装置。
【請求項６】
第１基板および第２基板が対向してなる電気光学パネルを有する第１部材と、当該第１部材に対向して配置される第２部材と、を備えた電気光学装置であって、
前記第１部材は、表示部を有し、
前記第２部材は、光源を有し、
前記第１部材と前記第２部材とは、前記光源が前記表示部を照明するように対向配置可能であることを特徴とする電気光学装置。
【請求項７】
第１基板および第２基板が対向してなる電気光学パネルを有する第１部材と、当該第１部材に対向して配置される第２部材と、を備えた電気光学装置であって、
前記第１部材は、第１表示部と、第２表示部と、前記第１表示部を照明する第１光源と、を有し、
前記第２部材は、第２光源を有し、
前記第１部材と前記第２部材とは、前記第２光源が前記第２表示部を照明するように対向配置可能であることを特徴とする電気光学装置。
【請求項８】
請求項１〜７のいずれかに記載された電気光学装置を備えることを特徴とする電気機器。
【発明の詳細な説明】
【技術分野】
【０００１】
本発明は電気光学装置およびそれを用いた電気機器に関する。特に、第２表示部においても専用光源を設けてバックライト方式を採用することにより、第１表示部用の光源が背面表示の認識を妨げることがない電気光学装置およびそれを用いた電気機器に関する。
【背景技術】
【０００２】
携帯電話等の普及に伴い、電気光学装置（液晶表示装置等）およびそれを用いた電気機器が各種提案されている。
例えば、低消費電力でありながら、見やすい表示等が可能な両面表示型液晶表示装置が提案されている。より具体的には、図１４に示すように、表裏両面に観測面（画像表示部）を設けた液晶表示装置２１０であって、導光板２３１が、フロントライト機能を有する領域２３１ａと、バックライト機能を有する領域２３１ｂと、を有し、反射型表示領域２４１ａと、フロントライト機能を有する領域２３１ａとが重なるとともに、反射透過型表示領域２４１ｂと、バックライト機能を有する領域２３１ｂと、が重なるように、導光板２３１と、液晶パネル２４１と、を積層した両面表示型液晶表示装置２１０が開示されている（例えば、特許文献１参照）。
【０００３】
また、簡易な構成により、液晶パネルの全面を用いた画像表示を両面で行うことができる液晶表示装置が提案されている。より具体的には、図１５に示すように、表裏両面に観測面（画像表示部）を設けた液晶表示装置２７０であって、第２基板２７１の外側においては、バックライト機能としての照明装置２８２より発した光であって、液晶層２７３および透明電極２７４を透過した透過光によって透過表示を行い、第２の基板２７２の外側においては、フロントライト機能としての照明装置２８２より発した光であって、反射電極２７５を反射した反射光によって反射表示を行う液晶表示装置２７０が提案されている（例えば、特許文献２参照）。
【特許文献１】特開２００３−９８５４５号公報  （特許請求の範囲）
【特許文献２】特開２００２−３５７８２５号公報  （特許請求の範囲）
【発明の開示】
【発明が解決しようとする課題】
【０００４】
しかしながら、特許文献１および特許文献２に開示された両面表示型の液晶表示装置は、いずれも背面表示の際には、液晶パネルの前面に、光源の一部としての導光板が配置してあるフロントライト方式を採用していた。したがって、背面表示面に表示される画像や情報が見難くなるという問題が見られた。
そこで、本発明の発明者らは鋭意検討した結果、折畳み式携帯電話等の電気光学装置において、半透過反射表示が可能な第１表示部と、少なくとも透過表示が可能な第２表示部と、をそれぞれ備えるとともに、特定箇所に第２表示部用の専用光源、すなわち第２光源を配置することにより、第１表示部用の第１光源が表示情報の認識を妨げることなく、鮮明な画像表示ができることを見出し、本発明を完成させたものである。
さらに、折畳み式携帯電話等の電気光学装置において、半透過反射表示が可能な第１表示部と、背面表示面で透過表示をするとともに、その反対側を鏡面とすることが可能な第２表示部をそれぞれ備えることにより、鮮明な画像表示ができるばかりでなく、鏡としても使用できることを見出し、本発明を完成させたものである。
すなわち、本発明の目的は、第２表示部においても専用光源を設けてバックライト方式を採用することにより、背面表示の際に、第１表示部用光源が背面表示の認識を妨げることがない電気光学装置およびそれを用いた電気機器を提供することにある。
【課題を解決するための手段】
【０００５】
本発明によれば、第１基板と第２基板が対向してなる電気光学パネルを有する第１部材と、当該第１部材に対向して配置される第２部材と、を備えてなる電気光学装置であって、
電気光学パネルは、第１基板側に表示する第１表示部と、第２基板側に表示する第２表示部とを有し、
第１部材は第１光源を有し、
第２部材は第２光源を有し、
第１表示部は第１光源から照明されることにより透過表示を行い、第２表示部は第２光源から照明されることにより透過表示を行うことを特徴とする電気光学装置が提供され、上述した問題点を解決することができる。
【０００６】
また、本発明の電気光学装置を構成するにあたり、第２表示部は、第１基板と第２光源との間に、半透過反射層を備えてなることが好ましい。
【０００７】
また、本発明の電気光学装置を構成するにあたり、第２表示部は、第１基板と第２光源との間に、反射偏光子を備えてなることが好ましい。
【０００８】
また、本発明の電気光学装置を構成するにあたり、第２部材は操作パネルを有し、当該操作パネルの一部に、第２の光源が設けられてなることが好ましい。
【０００９】
また、本発明の別の態様は、第１部材と第２部材とを有する電気光学装置であって、
第１部材は、表示部を有し、
第２部材は、光源を有し、
第１部材と第２部材とは、光源が表示部を照明するように対向配置可能であることを特徴とする電気光学装置である。
【００１０】
また、本発明のさらに別の態様は、第１部材と第２部材とを有する電気光学装置であって、
第１部材は、第１表示部と、第２表示部と、第１表示部を照明する第１光源と、を有し、
第２部材は、第２光源を有し、
第１部材と第２部材とは、第２光源が第２表示部を照明するように対向配置可能であることを特徴とする電気光学装置である。
【００１１】
また、本発明のさらに別の態様は、上述した電気光学装置を備えることを特徴とする電気機器である。
【発明の効果】
【００１２】
すなわち、本発明の電気光学装置によれば、第１部材に、第１表示部用の専用光源である第１光源を設けるとともに、第２部材に、第２表示部用の専用光源である第２光源を設けることにより、第２表示部においても、フロントライト方式ではなくバックライト方式を採用できるため、背面表示の際の、第１光源の影響を排除して、鮮明な画像を認識することができる。
【００１３】
また、本発明の電気光学装置によれば、第２表示部の所定箇所に半透過反射層を備えていることにより、透過モードのみならず、反射モードによっても、第１光源の存在や発光に邪魔されることなく背面表示することが可能になる。すなわち、第２表示部においては、専用光源により、バックライト方式により透過モードで背面表示することができるとともに、半透過反射板によって、入射した外光を効率的に反射させ、反射モードによっても背面表示をすることができる。
【００１４】
また、本発明の電気光学装置によれば、第２表示部の所定箇所に、反射偏光子を備えていることにより、透過モードにおいては、第２光源からの光をリサイクルして、輝度上昇効果を発揮させることができる。また、光取出口を介して、背面表示面の反対側から外光を入射させることにより、鏡面反射させて、光取出口を鏡として利用することもできる。
【００１５】
また、本発明の電気光学装置によれば、第２部材は操作パネルを有し、当該操作パネルの一部に第２光源を設けることにより、当該第２光源および操作パネルの配置等に対する制限が少なくなる。
【００１６】
また、本発明の電気光学装置によれば、第２光源は、バックライトを備えるとともに、操作パネルとして用いられる電気光学パネルであることにより、電気光学装置のサイズを過度に大きくすることなく、第１部材に設けてある電気光学パネルと相俟って、いわゆる２層パネルとして、第２表示部における表示容量を飛躍的に大きくすることができる。
【００１７】
また、本発明の電気光学装置によれば、第１部材が表示部を有するとともに、第２部材が光源を有し、当該光源が表示部を照明するように、第１部材と第２部材とを対向配置することにより、液晶パネルを有する第１部材を大型化することなく、バックライトによる透過表示が可能となるために、光源が表示情報の認識を妨げることが少なくなり、鮮明な画像が認識可能になる。
【００１８】
また、本発明の電気光学装置によれば、第１部材が、第１表示部と、第２表示部と、第１光源と、を有するとともに、第２部材が、第２光源を有し、当該第２光源が第２表示部を照明するように、第１部材と第２部材とを対向配置することにより、第１表示部および第２表示部それぞれにおいて、光源が表示情報の認識を妨げることが少なくなり、鮮明な画像を認識可能になる。
【００１９】
また、本発明の電気機器によれば、特定箇所に第２光源を配置することにより、当該光源が表示情報の認識を妨げることが少なくなり、鮮明な画像を認識可能であって、かつ、表示情報量が飛躍的に増大した電気機器を提供することができる。
【発明を実施するための最良の形態】
【００２０】
以下、図面を参照して、本発明の電気光学装置、および電気光学装置を含む電気機器に関する実施形態について具体的に説明する。
ただし、かかる実施形態は、本発明の一態様を示すものであり、この発明を限定するものではなく、本発明の範囲内で任意に変更することが可能である。
【００２１】
［第１実施形態］
第１実施形態は、図１（ａ）〜（ｂ）に例示されるように、第１基板および第２基板（ともに図示せず。）が対向してなる電気光学パネル２００を有する第１部材１２と、当該第１部材１２に対向して配置される第２部材１４と、を備えてなる電気光学装置１０であって、電気光学パネル２００は、第１基板側に表示する第１表示部１６と、第２基板１４側に表示する第２表示部１８とを有し、第１部材１２は第１光源（図示せず。）を有し、第２部材１４は第２光源４０を有し、第１表示部１６は第１光源から照明されることにより透過表示を行い、第２表示部１８は第２光源４０から照明されることにより透過表示を行うことを特徴とする電気光学装置１０である。
以下、図１〜図８を適宜参照して、本発明の第１実施形態の電気光学装置について、電気光学パネルとして液晶パネル２００を有する電気光学装置を備えた折畳み式携帯電話を例に採って説明する。
なお、図１（ａ）〜（ｂ）は、折畳み式携帯電話の斜視図であり、図２は、折畳み式携帯電話の蓋側（第１部材）の構成を説明するために供する分解図であり、図３は、折畳み式携帯電話の蓋側部材と、操作側部材とを閉じた状態での部分断面図であり、図４は、折畳み式携帯電話の蓋側部材と、操作側部材とを開いた状態での蓋側部材における部分断面図であり、図５（ａ）および（ｂ）は、折畳み式携帯電話の変形例の斜視図であり、図６は、液晶パネルの斜視図であり、図７は、液晶パネルに用いられるＴＦＤ素子を説明するために供する回路図であり、図８は、液晶パネルに用いられるＴＦＴ素子を説明するために供する回路図である。
【００２２】
まず、図１（ａ）〜（ｂ）および図２を参照して、本発明の電気光学装置を備えた折畳み式携帯電話の概略を説明する。
図１（ａ）〜（ｂ）に示すように、折畳み式携帯電話１０は、第１表示部１６および第２表示部１８を含む蓋側部材（第１部材）１２を備えており、第２表示部１８の反対側には、第２光源４０からの光を入射させるための光取出口１５が設けてある。
また、図２に示すように、蓋側部材（第１部材）１２の筐体２２に貫通部１３を設け、当該貫通部１３に対応して、液晶パネル２００における第２表示部１８を収容することが好ましい。この理由は、かかる第２表示部１８を、第１部材１２に設けてある貫通部１３に収容することにより、第２部材１４に配置した第２光源４０と、光取出口１５との間の位置合わせについても容易になるためである。また、このように構成することにより、第２表示部１８および光取出口１５の形成についても、容易になるためである。
一方、図１（ａ）に示すように、操作側部材（第２部材）１４には、筐体３４に、キー操作部３０と、第２光源４０と、を備えて構成されている。そして、蓋側部材（第１部材）１２と、操作側部材（第２部材）１４とは、第２光源が第２表示部を照明するように対向配置できるように構成されている。
したがって、図１（ａ）に示すように、蓋側部材（第１部材）１２を開くと、第１表示部１６の表示面（主表示面と称する場合がある。）１６Ａが露出し、かかる表示面１６Ａを認識できるとともに、図１（ｂ）に示すように、蓋側部材１２を閉めると、第２表示部１８の表示面（背面表示面と称する場合がある。）１８Ａを認識することができる。その際、第２表示部１８の反対側に設けてある第２光源４０からの光が、光取出口１５を介して、第２表示部１８に入射してくる。
すなわち、蓋側部材１２を開くことにより、第１表示部１６において、折畳み式携帯電話１０における通常の主表示ができるとともに、蓋側部材１２を閉じることにより、第１光源の影響を排除したバックライト方式により、背面表示面での鮮明な画像を認識することができる。
【００２３】
次いで、図３を参照して、液晶パネルを備えた折畳み式携帯電話の第２表示部における動作モードをより具体的に説明する。
図３は、本発明の電気光学装置の第１部材（蓋側部材）１２と、第２部材（操作側部材）１４とを閉じた状態の部分断面図であるが、説明の都合上、上側に操作側部材１４を配置して、示してあり、下側に蓋側部材１２を配置して、示してある。また、下側に示した蓋側部材１２の右側に、第２表示部を配置して示してあり、左側に、第１表示部を配置して示してある。
ここで、第２表示部１８は、下方から偏光板（下側偏光板）４１と、位相差板４２と、第２基板（下基板）４３と、保護膜４６と、透明電極（下側電極）５１と、配向膜（下側配向膜）４８と、液晶４９と、配向膜（上側配向膜）５０と、透明電極（上側電極）５２と、第２の基板（上基板）５５と、偏光板（上側偏光板）５８と、半透過反射板８０と、から構成してある。
【００２４】
したがって、かかる第２表示部１８によれば、操作側部材１４に設けた第２光源４０からの光を利用した表示を行う透過モード（Ｘ２）と、主表示面１６Ａが設けてある側と反対側から入射させた外光を利用した表示を行う反射モード（Ｙ２）とにより、それぞれ背面表示をすることが可能である。
すなわち、透過モード（Ｘ２）の場合には、操作側部材（第２部材）１４の所定箇所に設けた第２光源４０、例えば、エレクトロルミネッセンス素子や発光ダイオードを点灯させ、反射部３９と相俟って所定輝度の光を出射させ、半透過反射板８０の光透過部（図示せず。）と、上側偏光板５８を介して、第１および第１基板４３、５５と、保護膜４６と、透明電極５１、５２と、配向膜４８、５０と、液晶４９と、から構成された液晶パネルに入射させる。
次いで、液晶パネルを通過した光は、さらに、下側偏光板４１と、位相差板（下側位相差板）４２によって、所定の光軸を有する光のみが透過し、画像情報として、観察者に認識されることになる。その際、フロントライト方式と異なり、背面表示面１８Ａには、第１光源６４が存在しない一方、専用光源がバックライト方式として存在するために、透過モード（Ｘ２）において、鮮明な画像情報を認識することができる。
【００２５】
一方、反射モード（Ｙ２）の場合には、外光を、第１および第２基板５５、４３と、保護膜４６と、透明電極５１、５２と、配向膜４８、５０と、液晶４９と、から構成された液晶パネル２００に入射させるとともに、上側偏光板５８を介して、半透過反射板８０の光反射（図示せず。）によって反射させる。
次いで、反射された外光は、再び、液晶パネル内に入射され、通過して、画像情報として、観察者に認識されることになる。その際、フロントライト方式と異なり、背面表示面１８Ａには、第１光源６４が存在しない一方、専用光源がバックライト方式として存在するために、反射モード（Ｙ２）においても、鮮明な画像情報を認識することができる。
【００２６】
次いで、図４を参照して、液晶パネルを備えた折畳み式携帯電話の第１表示部における動作モードをより具体的に説明する。
図４は、本発明の電気光学装置の第１部材（蓋側部材）１２と、第２部材（操作側部材）１４とを開いた状態での部分断面図であるが、図２と同様に、上側に操作側部材（第２部材）１４を配置して示してあり、下側に蓋側部材１２を配置して示してある。また、下側に示した蓋側部材１２の右側に、第２表示部を配置して示してあり、左側に、第１表示部を配置して示してある。
また、第１表示部１６は、下方から第１光源（第１の光源）６４と、反射板６３付きの導光板６２と、偏光板（下側偏光板）４１´と、λ／４板４２´と、第２基板（下基板）４３と、反射膜４４´と、カラーフィルタ４５´と、保護膜４６´と、透明電極（下側電極）５１´と、配向膜（下側配向膜）４８´と、液晶４９´と、配向膜（上側配向膜）５０´と、透明電極（上側電極）５２´と、第１基板（上基板）５５と、前方散乱板５６´と、位相差板（上側位相差板）５７´と、偏光板（上側偏光板）５８´と、を順次に積層し、構成してある。
【００２７】
したがって、蓋側部材１２を開けることにより、第１表示部１６の表示面１６Ａにおいて、蓋側部材１２に設けてある第１光源６４から、導光板６２を介して照射される光によってカラー表示を行う透過モード（Ｘ１）と、表示面１６Ａが設けてある側から、外光を入射させてカラー表示を行う反射モード（Ｙ１）とにより、それぞれ所定の画像情報を表示することが可能である。
すなわち、透過モード（Ｘ１）の場合には、蓋側部材１２を開けた状態で、第１光源６４、例えば、エレクトロルミネッセンス素子や発光ダイオードを点灯させ、反射部６３および拡散板６２と、が相俟って所定輝度の光を上方に出射させ、下側偏光板４１´と、λ／４板４２´を介して、円偏光として、第１および第１基板４３、５５と、保護膜４６と、透明電極５１、５２と、配向膜４８、５０と、液晶４９と、から構成された液晶パネルに入射させる。次いで、液晶パネルを通過した光は、さらに、上側偏光板５８´と、上側位相差板５７´と、前方散乱板５６´とによって、所定輝度を有する直線偏光とされた光のみが透過し、画像情報として、観察者に認識されることになる。
【００２８】
一方、反射モード（Ｙ１）の場合には、外光を、第１および第２基板５５、４３と、保護膜４６と、透明電極５１、５２と、配向膜４８、５０と、液晶４９と、から構成された液晶パネル２００に入射させるとともに、半透過反射部４４´の反射部（図示せず。）によって反射させる。次いで、反射された外光は、再び、液晶パネルを通過して、画像情報として、観察者に認識されることになる。その際、主表示面１６Ａにおいても、フロントライト方式と異なり、第１光源６４が存在しない一方、専用光源がバックライト方式として存在するために、反射モード（Ｙ１）においても、鮮明な画像情報を認識することができる。
なお、図３に示す折畳み式携帯電話の例では、第１表示部に、カラーフィルタ４５´が設けてあるため、画像情報としては、カラー画像を認識することができる。
【００２９】
次いで、図１および図５を参照して、第２表示部１８に使用される第２光源４０について、より詳細に説明する。
かかる第２光源４０は、第１光源６４とは独立して設けられており、典型的には、エレクトロルミネッセンス素子や発光ダイオードであることが好ましい。
また、第２光源４０は、操作側部材（第２部材）１４に設けてあれば特にその構成は制限されるものではないが、例えば、図１に示すように、操作側部材１４に操作パネル３０が設けてあり、当該操作パネル３０の一部または近接箇所に、第２光源４０が設けてあることがより好ましい。
この理由は、操作パネルの各キーボタンの下方や側方、さらには、各キーボタン自体を発光させることにより、光源や操作パネルにおける各キーボタンの配置等に対する制限が少なくなるためである。図１に示す例では、操作パネル３０の近接箇所に設けてある大面積のキーボタンが、第２光源４０を兼ねている。
また、第２光源の変形例として、図５（ａ）に示すように、バックライト４０を備えるとともに、操作パネルとして用いられる電気光学パネル２４の一部であることも好ましい。
この理由は、このように構成することにより、電気光学装置のサイズを過度に大きくすることなく、蓋側部材に設けてある液晶パネル（第１の液晶パネルと称する場合がある。）と相俟って、第２光源を兼ねた液晶パネル（第２の液晶パネルと称する場合がある。）により、いわゆる２層パネルを構成することができるためである。したがって、図５（ｂ）に示すように、折畳み式携帯電話１０において、主表示面１６Ａを有する蓋側部材１２に設けてある液晶パネル２００のほかに、操作側部材（第２部材）１４に、第２光源を兼ねたバックライト４０を備えるとともに、操作パネルとして用いられる液晶パネル２４を設けることにより、折畳んだ際に、第２表示部１８における背面表示面１８Ａでの表示容量を飛躍的に大きくすることができる。
【００３０】
次いで、図６を参照して、液晶パネル２００の概略構造を説明する。図６は、本発明の電気光学装置に備えられる液晶パネルの斜視図であり、ガラス板や合成樹脂板等からなる透明な第２基板４３を基体とするカラーフィルタ基板１００と、これに対向して、実質的に同様の構成を有する第１基板５５を基体とする対向基板１１０とが、接着剤等のシール材５９を介して貼り合わせられていることが好ましい。
そして、カラーフィルタ基板１００と、対向基板１１０と、が形成する空間であって、シール材５９の内側部分に、液晶（図示せず）を注入した後、シール材５９にて封止されてなるセル構造を、液晶パネル２００の主構成要素として備えていることが好ましい。
すなわち、このように液晶パネル２００を構成することにより、大面積の主表示面１６Ａを有する第１表示部１６を形成することができるとともに、薄型の液晶パネル２００を提供することができる。
【００３１】
また、カラーフィルタ基板１００において、並列した複数のストライプ状である下側透明電極５１を形成するとともに、対向基板１１０における第１基板５５の内面上には、当該下側透明電極５１に直交する方向に並列させた複数のストライプ状の上側透明電極５２を形成することが好ましい。そして、カラーフィルタ基板１００における下側透明電極５１と、対向基板１１０における上側透明電極５２と、は相互に直交するため、その交差領域がマトリクス状に配列された多数の画素を構成し、これら多数の画素の配列が、全体として、パッシブマトリクス型構造を有する液晶表示領域Ａを構成することになる。
ただし、液晶パネル２００は、用途に応じて、パッシブマトリクス型構造のかわりに、アクティブマトリクス型構造、例えば、図７に回路例を示すＴＦＤ（Thin Film Diode）や、図８に回路例を示すＴＦＴ（Thin Film Transistor）等のアクティブ素子（能動素子）を用いた液晶パネルであることも好ましい。
【００３２】
また、カラーフィルタ基板１００における第２基板４３には、図６に示すように、第２基板４３よりも外側に張り出してなる基板張出部１００Ｔを設けることが好ましい。この基板張出部１００Ｔ上には、配線１１８Ａ、配線１２８に対して、シール材５９の一部で構成される上下導通部を介して導電接続された配線１１８Ｂ、および、独立して形成された複数の配線パターンからなる入力端子部１１９が形成してある。そして、この基板張出部１００Ｔ上には、これら配線１１８Ａ、１１８Ｂおよび入力端子部１１９に対して導電接続されるように、液晶駆動回路等を内蔵した半導体素子（ＩＣチップ）１６１が実装されており、さらに、基板張出部１００Ｔの端部には、入力端子部２１９に導電接続されるように、フレキシブル配線基板１６３が実装されている。
したがって、液晶表示領域Ａの動作を、液晶パネル２００の外部から制御することが可能になる。
なお、液晶パネル２００の外部から制御するにあたり、第２表示部１８において背面表示する際には、第１表示部１６に印加する電圧を、第１表示部１６の駆動電圧よりも低い電圧とすることにより、電気光学装置１０全体として、消費電力を抑えることができる。
【００３３】
［第２実施形態］
第２実施形態は、図９に例示されるように、第１実施形態の電子光学装置１０における第１基板５５と第２光源４０との間に、反射偏光子８３を配置して、第２表示部１８の光取出口１５において鏡面とした電気光学装置１０である。
以下、第１実施形態と同一内容の説明については、適宜省略するとともに、図９〜図１０を適宜参照して、本発明の第２実施形態の電気光学装置について、折畳み式携帯電話を例に採って説明する。
なお、図９は、第２実施形態の電気光学装置の第１部材１２と、第２部材１４を閉じた状態の部分断面図であり、図１０は、第２実施形態の電気光学装置の第１部材１２と、第２部材（図示せず。）を開いた状態の部分断面図である。
【００３４】
まず、図９を参照して、第２実施形態の電気光学装置の透過モード（Ｘ２）による画像表示について説明する。
すなわち、図９に示すように、第２表示部１８は、下方から偏光板（下側偏光板）４１と、位相差板４２と、第２基板（下基板）４３と、保護膜４６と、透明電極（下側電極）５１と、配向膜（下側配向膜）４８と、液晶４９と、配向膜（上側配向膜）５０と、透明電極（上側電極）５２と、第２の基板（上基板）５５と、偏光板（上側偏光板）５８と、反射偏光子８３と、から構成してある。そして、反射偏光子８３の透過軸と、偏光板５８の透過軸とが、ほぼ平行になるように調整配置してある。
したがって、かかる第２表示部１８の構成によれば、図９に示すように、第２部材１４を閉じた状態で、背面表示面１８Ａにおいては、操作側部材（第２部材）１４に設けた第２光源４０からの光を利用して、透過モード（Ｘ２）により画像表示が可能である。
すなわち、透過モード（Ｘ２）の場合には、操作側部材（第２部材）１４の所定箇所に設けた第２光源４０を点灯させ、反射部３９と相俟って所定輝度の光を出射させ、反射偏光子８３に入射させる。その際に、所定の透過軸を有する光のみ反射偏光子８３を透過することができ、それ以外の光は反射されてしまう。しかしながら、反射された光は、第２光源４０およびその反射部３９により再び反射されることにより偏光解消が起こり、一部の光は所定の透過軸を有するように偏光されるため、反射偏光子８３に入射した場合に透過することができる。よって、第２光源４０からの光をいわゆるリサイクルして、反射偏光子８３の透過光量を多くすることができる。
次いで、上側偏光板５８を介して、第１および第２の基板４３、５５と、保護膜４６と、透明電極５１、５２と、配向膜４８、５０と、液晶４９と、から構成された液晶パネルに入射する。この液晶パネルを通過した光は、さらに、下側偏光板４１と、位相差板（下側位相差板）４２によって、所定の光軸を有する光のみが透過し、画像情報として、観察者に認識されることになる。
その際、第１の実施形態と同様に、背面表示面１８Ａには、第１光源６４が存在しない一方、専用光源が存在するために、バックライト方式を採用して透過モード（Ｘ２、Ｘ２´）により、鮮明な画像情報を認識することができる。
【００３５】
次いで、図１０を参照して、第２実施形態の電気光学装置の鏡面について説明する。なお、第２表示部１８の構成は、上述したとおりである。
すなわち、図１０に示すように、光取出口１５に反射偏光子８３を配置した場合に、第２部材１４を開いた状態では、入射した外光は、反射偏光子８３によってそのおよそ半分が反射され、鏡面効果が発生することになる。
したがって、第２表示部１８における主表示面１６Ａが設けてある側は、鏡として取り扱えるため、例えば、コンパクトとして使用することができる。
【００３６】
［第３実施形態］
第３実施形態は、図１１に示すように、第１部材１２と第２部材１４とを有する電気光学装置９０であって、
第１部材１２は、表示部９１を有し、
第２部材１４は、光源９３を有し、
第１部材１２と第２部材１４とは、光源９３が表示部９１を照明するように対向配置可能であることを特徴とする電気光学装置９０である。
なお、図１１は、第３実施形態の電気光学装置９０の構成を説明するために供する図であり、第１部材１２と、第２部材１４とを対向配置した状態での部分断面図である。
【００３７】
第３実施形態の電気光学装置９０は、表示部９１を含む電気光学パネル２００を有する第１部材１２を備えており、表示面９１Ａの反対側には、光源９３からの光を入射させるための光取出口１５が設けられている。また、第２部材１４には、筐体に、キー操作部（図示せず。）と、光源９３と、を備えて構成されている。そして、第１部材１２と、第２部材１４とは、光源９３が表示部９１を照明するように対向配置されている。
したがって、光源９３から光取出口１５を介して表示部９１が照明されることにより、表示面９１Ａにおいて透過表示を認識することができる。
すなわち、第１部材に光源を設けることによる大型化を防止するとともに、光源の影響を排除したバックライト方式により、表示面での鮮明な画像を認識することができる。
また、図１１に示すように、第１部材における第１基板５５上に半透過反射層４４を設けた場合には、光源９３によって照明されることによる透過モードＸ４と、表示面９１Ａ側から外光を取り入れ、半透過反射層４４により反射させる反射モードＹ４とにより、画像表示を認識することができる。
【００３８】
［第４実施形態］
第４実施形態は、第１実施形態〜第３実施形態の電気光学装置を用いた電気機器である。
【００３９】
（１）電気機器の概要
図１２は、本実施形態の電気機器の全体構成を示す概略構成図である。この電気機器は、第１実施形態の電気光学装置に備えられる液晶パネル２００と、これを制御するための制御手段１２００とを有して構成されている。また、図１２中では、液晶パネル２００を、パネル構造体２００Ａと、半導体素子（ＩＣチップ）等で構成される駆動回路２００Ｂと、に概念的に分けて描いてある。また、制御手段１２００は、表示情報出力源１２１０と、表示処理回路１２２０と、電源回路１２３０と、タイミングジェネレータ１２４０とを有することが好ましい。
また、表示情報出力源１２１０は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されていることが好ましい。
また、表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給することが好ましい。そして、駆動回路２００Ｂは、走査線駆動回路、データ線駆動回路および検査回路を含むことが好ましい。また、電源回路１２３０は、上述の各構成要素にそれぞれ所定の電圧を供給する機能を有している。
【００４０】
（２）モバイル型コンピュータ
また、本発明に係る第１実施形態の電気光学装置（液晶表示装置）を、モバイル型のパーソナルコンピュータ（いわゆる携帯型パーソナルコンピュータ）の表示部に適用した電気機器例について説明する。
図１３（ａ）および（ｂ）は、それぞれ本発明の電気機器の一例としてのパーソナルコンピュータ１７０の構成を裏表から示す斜視図である。かかる図１３（ａ）に示すように、パーソナルコンピュータ１７０は、キーボード９０を備えた第２部材（本体部）１４と、第１表示部１６および第２表示部１８を備えた電気光学パネル２００を用いた第１部材（蓋側部材）１２と、を備えている。かかる第１部材１２は、筐体２２によって、電気光学パネル（液晶パネル）２００が収容されている。一方、図１３（ｂ）に示すように、第２表示部においては、背面表示面１８Ａがパーソナルコンピュータ１７０の背面側に設けられていることが好ましい。
そして、第１部材１２において、主表示面１６Ａの反対側に、第１表示部用の第１光源（図示せず。）を設け、かつ、第２部材１４には、第２表示部用の第２光源４０を設けることにより、複数の画像表示部における画像の明るさを確保するとともに、背面表示情報の認識を妨げることがなくなるために、優れたコントラストや画像視覚性を有する両面表示方式のパーソナルコンピュータを効率的に提供することができる。
【００４１】
（３）他の電気機器
第１実施形態の電気光学装置（液晶表示装置）を適用した電気機器としては、図１に示した携帯電話機や、図１３に示したパーソナルコンピュータのほかにも、液晶テレビ、ビューファインダ型・モニタ直視型のビデオテープレコーダ、カーナビゲーション装置、ページャ、電気泳動装置、電子手帳、電卓、ワードプロセッサ、ワークステーション、テレビ電話、ＰＯＳ端末、タッチパネルを備えた電気機器などが挙げられる。
【００４２】
さらに、本発明の電気光学装置および電気機器は、上述の図示例にのみ限定されるものではなく、本発明の要旨を逸脱しない範囲内において種々変更を加え得ることは勿論である。例えば、上記各実施形態に示す液晶パネルは単純マトリクス型の構造を備えているが、ＴＦＴ（薄膜トランジスタ）やＴＦＤ（薄膜ダイオード）等のアクティブ素子（能動素子）を用いたアクティブマトリクス方式の電気光学装置にも適用することができる。
また、上記実施形態の液晶パネルは所謂ＣＯＧタイプの構造を有しているが、ＩＣチップを直接実装する構造ではない液晶パネル、例えば液晶パネルにフレキシブル配線基板やＴＡＢ基板を接続するように構成されたものであっても構わない。
【産業上の利用可能性】
【００４３】
以上説明したように、本発明の電気光学装置およびそれを用いた電気機器によれば、電気光学パネルが第１表示部および第２表示部をそれぞれ備えるとともに、特定箇所に第２表示部用の専用光源、すなわち第２光源を配置して、第２表示部における背面表示の際にも、バックライト方式を採用することができるようになった。したがって、第１光源が、背面表示の際の画像情報の認識を妨げることなくなり、簡易構造の電気光学装置であっても、鮮明な画像表示が可能となった。
また、本発明の電気光学装置およびそれを用いた電気機器によれば、主表示用駆動回路と、背面表示用駆動回路と、を別個独立に備える必要がなくなり、電気光学装置のコストダウンや省スペース化にも寄与することができる。
【図面の簡単な説明】
【００４４】
【図１】（ａ）および（ｂ）は、本発明の第１実施形態に係る電気光学装置を備えた折畳み式携帯電話の斜視図である。
【図２】本発明の第１実施形態に係る電気光学装置を備えた折畳み式携帯電話の蓋側（第１部材）の構成を説明するために供する分解図である。
【図３】本発明の第１実施形態に係る電気光学装置を備えた折畳み式携帯電話の蓋側部材と、操作側部材とを閉じた状態での部分断面図である。
【図４】本発明の第１実施形態に係る電気光学装置を備えた折畳み式携帯電話の蓋側部材と、操作側部材とを開いた状態での蓋側部材における部分断面図である。
【図５】（ａ）および（ｂ）は、本発明の第１実施形態に係る電気光学装置を備えた折畳み式携帯電話の変形例の斜視図である。
【図６】本発明の第１実施形態に係る電気光学装置の斜視図である。
【図７】本発明の第１実施形態に係る電気光学装置に用いられるＴＦＤ素子を説明するために供する図である。
【図８】本発明の第１実施形態に係る電気光学装置に用いられるＴＦＴ素子を説明するために供する図である。
【図９】本発明の第２実施形態に係る電気光学装置を備えた折畳み式携帯電話における蓋側部材と、操作側部材とを閉じた状態での部分断面図である。
【図１０】本発明の第２実施形態に係る電気光学装置を備えた折畳み式携帯電話における蓋側部材と、操作側部材とを開いた状態での蓋側部材における部分断面図である。
【図１１】本発明の第３実施形態に係る電気光学装置を説明するために供する図である。
【図１２】本発明に係る電気機器の実施形態における構成ブロックを示す概略構成図である。
【図１３】（ａ）〜（ｂ）は、本発明に係る電気機器例としてのパーソナルコンピュータを説明するために供する斜視図である。
【図１４】従来の両面表示方式の液晶パネルの構造を模式的に示す断面図である（その１）。
【図１５】従来の両面表示方式の液晶パネルの構造を模式的に示す断面図である（その２）。
【符号の説明】
【００４５】
１０・９０：電気光学装置（携帯電話機）、１２：第１部材、１３：貫通部、１４：第２部材、１５：光取出口、１６：第１表示部、１６Ａ：主表示面、１８：第２表示部、１８Ａ：背面表示面、４０：第２光源、４１・４１´：偏光板、４２：位相差板、４２´：λ／４板、４３：第２基板（下基板）、４４：反射層、４５：カラーフィルタ、５１：電極（下側電極）、４９：電気光学材料、５２：電極（上側電極）、５５：第１基板（上基板）、５６・５６´：前方散乱膜、５７・５７´：位相差板、５８・５８´：偏光板、６４：第１光源、８０：半透過反射板、８３：反射偏光子、９１：表示部、９３：光源、１００：カラーフィルタ基板、１１０：対向基板、１７０：パーソナルコンピュータ、２００：液晶パネル
【図１】
2005084322.tif 000003
【図２】
2005084322.tif 000004
【図３】
2005084322.tif 000005
【図４】
2005084322.tif 000006
【図５】
2005084322.tif 000007
【図６】
2005084322.tif 000008
【図７】
2005084322.tif 000009
【図８】
2005084322.tif 000010
【図９】
2005084322.tif 000011
【図１０】
2005084322.tif 000012
【図１１】
2005084322.tif 000013
【図１２】
2005084322.tif 000014
【図１３】
2005084322.tif 000015
【図１４】
2005084322.tif 000016
【図１５】
2005084322.tif 000017